(57)【要約】      （修正有）【課題】説明文などの表記スペースを拡大しつつ、全体の大型化を抑制するとともに、良好な開封性を維持することが可能なスキンパック包装体を提供すること。【解決手段】台材１と、台材１を覆うフィルム２と、台材１とフィルム２との間に介在する被包装物３と、を備え、台材１とフィルム２との間が脱気された、スキンパック包装体Ａ１であって、台材１は、最も被包装物３側に位置する最上位片１１および被包装物３から最も離間した最下位片１２を有し、かつ厚さ方向視において最上位片１１と最下位片１２とが重なって位置しており、最上位片１１および最下位片１２それぞれのうち被包装物３側を向く表面１１ａ，１１ｂは、フィルム２との接合を担う接合領域を有しており、台材１は、厚さ方向視においてフィルム２の一部と重なり、かつ最上位片１１および最下位片１２の少なくとも一方の一部を含む、開封起点となるつまみ部１１ｆを有する。【選択図】図２
2015120536.tif 000002
【特許請求の範囲】
【請求項１】
台材と、
前記台材を覆うフィルムと、
前記台材と前記フィルムとの間に介在する被包装物と、を備え、
前記台材と前記フィルムとの間が脱気された、スキンパック包装体であって、
前記台材は、最も前記被包装物側に位置する最上位片および前記被包装物から最も離間した最下位片を有し、かつ厚さ方向視において前記最上位片と前記最下位片とが重なって位置しており、
前記最上位片および前記最下位片それぞれのうち前記被包装物側を向く表面は、前記フィルムとの接合を担う接合領域を有しており、
前記台材は、前記厚さ方向視において前記フィルムの一部と重なり、かつ前記最上位片および前記最下位片の少なくとも一方の一部を含む、開封起点となるつまみ部を有することを特徴とする、スキンパック包装体。
【請求項２】
前記最上位片および前記最下位片の一方には、切り欠き部が設けられており、
前記最上位片および前記最下位片の他方のうち厚さ方向視において前記切り欠き部と重なる部位が、前記開封起点部とされている、請求項１に記載のスキンパック包装体。
【請求項３】
前記台材は、前記開封起点部を規定する分断予定線を有する、請求項１または２に記載のスキンパック包装体。
【請求項４】
前記最下位片の前記表面とは反対側を向く裏面は、前記接合領域よりも発揮しうる接合力が弱い接合不適領域のみを有している、請求項１ないし３のいずれかに記載のスキンパック包装体。
【請求項５】
前記最上位片と前記最下位片とは、互いに別体とされている、請求項１ないし４のいずれかに記載のスキンパック包装体。
【請求項６】
前記台材は、厚さ方向反対側に位置する第一面および第二面を有し、前記第一面が前記接合領域を有し、前記第二面が前記接合不適領域のみを有する、シート材料からなり、
前記シート材料は、前記第一面を外側とする山折り部と前記第一面を内側とする谷折り部とからなる１以上の折り部の組を有するように折り畳まれている、請求項１ないし４のいずれかに記載のスキンパック包装体。
【発明の詳細な説明】
【技術分野】
【０００１】
本発明は、台材とフィルムとによって被包装物を挟むスキンパック包装体に関する。
【背景技術】
【０００２】
様々な商品を包装する包装形態として、所謂スキンパック包装体が広く採用されている。図１８は、従来のスキンパック包装体の一例を示している（たとえば、特許文献１）。同図に示されたスキンパック包装体Ｘは、たとえば厚紙などからなる台紙が用いられた台材９１と、この台材９１に載置した被包装物９３とが、フィルム９２によって覆われている。被包装物９３の保護や見栄えを向上させるために、一般的に台材９１とフィルム９２との間が脱気され、フィルム９２が被包装物９３に密着した状態とされる。
【０００３】
台材９１は、矩形状とされており、本体部９１ａとつまみ部９１ｂとを有している。また、台材９１には、本体部９１ａとつまみ部９１ｂとを区画する分断予定線９１ｃが形成されている。本体部９１ａは、被包装物９３を支持する部位である。つまみ部９１ｂは、分断予定線９１ｃを挟んで本体部９１ａと隣り合っている。分断予定線９１ｃは、直線であり、その両端が台材９１の端縁に到達している。これにより、つまみ部９１ｂは、三角形状となっている。なお、分断予定線９１ｃは、所謂ミシン目によって構成されている。フィルム９２は、台材９１と被包装物９３とを覆っており、本体部９１ａおよびつまみ部９１ｂに跨っている。商品としてのスキンパック包装体Ｘの購入者が、被包装物９３を取り出す際には、つまみ部９１ｂをフィルム９２の一部とともに本体部９１ａから離間させることにより、フィルム９２を本体部９１ａから剥離する。これにより、購入者は、被包装物９３を比較的容易に取り出すことができる。
【０００４】
近年、消費者保護や性能をより適切に発揮させるために、被包装物９３についての説明文を台材９１により多く記載することが望まれるケースが多くなっている。台材９１のうち被包装物９３が載置された表面は、透明なフィルム９２で覆われているため、購入者にとって視認可能である。しかしながら、スキンパック包装体Ｘが店頭において陳列されている際に、前記表面は被包装物９３とともに前面に表れる。このような表面には、被包装物９３についての説明文よりも、購入者の注意を惹きつけるいわゆるＰＯＰ広告が印刷されることが好ましい。このため、被包装物９３の説明文は、台材９１の裏面に印刷される。この説明文の量が多くなるほど、台材９１を大きくする必要がある。この結果、被包装物９３に対して台材９１が不当に大きくなりかねないという問題があった。
【先行技術文献】
【特許文献】
【０００５】
【特許文献１】特開昭６３−９６０５６号公報
【発明の概要】
【発明が解決しようとする課題】
【０００６】
本発明は、上記した事情のもとで考え出されたものであって、説明文などの表記スペースを拡大しつつ、全体の大型化を抑制するとともに、良好な開封性を維持することが可能なスキンパック包装体を提供することをその課題とする。
【課題を解決するための手段】
【０００７】
本発明によって提供されるスキンパック包装体は、台材と、前記台材を覆うフィルムと、前記台材と前記フィルムとの間に介在する被包装物と、を備え、前記台材と前記フィルムとの間が脱気された、スキンパック包装体であって、前記台材は、最も前記被包装物側に位置する最上位片および前記被包装物から最も離間した最下位片を有し、かつ厚さ方向視において前記最上位片と前記最下位片とが重なって位置しており、前記最上位片および前記最下位片それぞれのうち前記被包装物側を向く表面は、前記フィルムとの接合を担う接合領域を有しており、前記台材は、前記厚さ方向視において前記フィルムの一部と重なり、かつ前記最上位片および前記最下位片の少なくとも一方の一部を含む、開封起点となるつまみ部を有することを特徴としている。
【０００８】
本発明の好ましい実施の形態においては、前記最上位片および前記最下位片の一方には、切り欠き部が設けられており、前記最上位片および前記最下位片の他方のうち厚さ方向視において前記切り欠き部と重なる部位が、前記開封起点部とされている。
【０００９】
本発明の好ましい実施の形態においては、前記台材は、前記開封起点部を規定する分断予定線を有する。
【００１０】
本発明の好ましい実施の形態においては、前記最下位片の前記表面とは反対側を向く裏面は、前記接合領域よりも発揮しうる接合力が弱い接合不適領域のみを有している。
【００１１】
本発明の好ましい実施の形態においては、前記最上位片と前記最下位片とは、互いに別体とされている。
【００１２】
本発明の好ましい実施の形態においては、前記台材は、厚さ方向反対側に位置する第一面および第二面を有し、前記第一面が前記接合領域を有し、前記第二面が前記接合不適領域のみを有する、シート材料からなり、前記シート材料は、前記第一面を外側とする山折り部と前記第一面を内側とする谷折り部とからなる１以上の折り部の組を有するように折り畳まれている。
【発明の効果】
【００１３】
本発明によれば、前記つまみ部を設けることにより、前記台材の一部と前記フィルムの一部とを一括して容易に持ち上げることができる。これにより、前記最上位片および前記最下位片が積層された構成の前記台材と前記フィルムとの複合体である前記スキンパック包装体を適切に開封することができる。また、前記スキンパック包装体の開封により、前記最上位片の前記裏面全体および前記最下位片の前記表面全体が視認可能な状態となる。これにより、前記裏面や前記表面に記載された説明文などを購入者に示すことが可能である。したがって、説明文などの表記スペースを拡大しつつ、全体の大型化を抑制するとともに、良好な開封性を維持することができる。
【００１４】
本発明のその他の特徴および利点は、添付図面を参照して以下に行う詳細な説明によって、より明らかとなろう。
【図面の簡単な説明】
【００１５】
【図１】本発明の第一実施形態に基づくスキンパック包装体を示す斜視図である。
【図２】図１のＩＩ−ＩＩ線に沿う断面図である。
【図３】図１のＩＩＩ−ＩＩＩ線に沿う断面図である。
【図４】（ａ）、（ｂ）は、図１のスキンパック包装体に用いられる台材の最上位片を示す平面図および底面図であり、（ｃ）、（ｄ）は、最下位片を示す平面図および底面図である。
【図５】図１のスキンパック包装体の製造方法を説明するための斜視図である。
【図６】図１のスキンパック包装体の開封手順を示す斜視図である。
【図７】本発明の第一実施形態に基づくスキンパック包装体の変形例の台材を示す平面図である。
【図８】本発明の第一実施形態に基づくスキンパック包装体の他の変形例の台材の（ａ）は最上位片を示す平面図であり、（ｂ）は最下位片を示す平面図である。
【図９】本発明の第一実施形態に基づくスキンパック包装体のさらに他の変形例を示す断面図である。
【図１０】（ａ）〜（ｄ）は、本発明の第一実施形態に基づくスキンパック包装体のさらに他の変形例を示す要部平面図である。
【図１１】本発明の第二実施形態に基づくスキンパック包装体を示す斜視図である。
【図１２】図１１のＸＩＩ−ＸＩＩ線に沿う断面図である。
【図１３】図１１のスキンパック包装体に用いられる第材材料の（ａ）は第一面を示す平面図であり、（ｂ）は第二面を示す底面図である。
【図１４】図１１のスキンパック包装体の製造方法を説明するための斜視図である。
【図１５】図１１のスキンパック包装体の開封手順を示す斜視図である。
【図１６】図１１のスキンパック包装体の開封手順を示す斜視図である。
【図１７】（ａ）、（ｂ）、（ｃ）は、本発明の第２実施形態に基づくスキンパック包装体の変形例のシート材料を示す平面図である。
【図１８】従来のスキンパック包装体の一例を示す平面図である。
【発明を実施するための形態】
【００１６】
以下、本発明の好ましい実施の形態につき、図面を参照して具体的に説明する。
【００１７】
図１〜図３は、本発明の第１実施形態に基づくスキンパック包装体を示している。図１は、スキンパック包装体Ａ１を斜め上方から見た斜視図である。図２は、図１のＩＩ−ＩＩ線に沿う断面における断面図であり、図３は、図１のＩＩＩ−ＩＩＩ線に沿う断面における断面図である。本実施形態のスキンパック包装体Ａ１は、台材１、フィルム２および被包装物３を備えている。
【００１８】
本発明で言う台材としては、被包装物３を適切に保持しつつ、後述する脱気を適切に行いうるものであればよく、一般的な、所謂ノンコート紙と呼ばれる厚紙、普通紙、合成紙等からなる台紙の他に、一部に切り欠き（単なる孔やミシン目などを含み、その形状は特に限定されない）が設けられた、表面に樹脂層が設けられた所謂コート紙、合成樹脂シート、発泡シート、あるいは多孔質シートなどを採用しうる。これらは単層シート、およびこれらの２以上のシートが積層接着された積層シートなどの各種シート材を用いることができる。台紙として厚紙が用いられる場合、その厚みは、特に限定されないが、たとえば、０．５ｍｍ〜１．０ｍｍである。また、台紙として普通紙、合成紙、コート紙が用いられる場合、その目付量は、特に限定されないが、たとえば、好ましくは５０ｇ／ｍ２〜６００ｇ／ｍ２であり、さらに好ましくは２７０ｇ／ｍ２〜５００ｇ／ｍ２である。台紙として合成樹脂シートまたは発泡シートが用いられる場合、その厚みは、特に限定されないが、たとえば、４０μｍ〜２００μｍ程度である。本実施形態においては、台材１として厚紙からなる台紙を用いる場合を例として説明する。
【００１９】
台材１は、最上位片１１および最下位片１２からなる。最上位片１１および最下位片１２は、互いに別体とされた台紙の切断片である。最上位片１１は、厚さ方向において被包装物３側に位置し、最下位片１２は、厚さ方向において被包装物３とは反対側に位置する。最上位片１１と最下位片１２とは、互いに重ね合わされている。最上位片１１は、厚さ方向において互いに反対側を向く表面１１ａおよび裏面１１ｂを有している。最下位片１２は、厚さ方向において互いに反対側を向く表面１２ａおよび裏面１２ｂを有している。表面１１ａには、被包装物３が載置されている。裏面１１ｂは、スキンパック包装体Ａ１全体の裏面側に表れている。
【００２０】
なお、最上位片１１の表面１１ａは、店頭での陳列時において被包装物３とともに前面に表れる部位である。このため、表面１１ａには、商品名や販売促進のためのＰＯＰ広告を印刷しておくことが好ましい。一方、最上位片１１の裏面１１ｂと最下位片１２の表面１２ａおよび裏面１２ｂは、店頭での陳列時において前面には表れない部位である。これらの部位には、たとえば被包装物３の使用方法や注意書きなどの説明文を印刷しておくことが好ましい。
【００２１】
図４は、最上位片１１および最下位片１２を示している。同図（ａ）は、最上位片１１の表面１１ａ側を示す平面図であり、同図（ｂ）は、最上位片１１の裏面１１ｂ側を示す底面図である。同図（ｃ）は、最下位片１２の表面１２ａ側を示す平面図であり、同図（ｄ）は、最下位片１２の裏面１２ｂ側を示す底面図である。これらの図において、複数の離散ドットからなるハッチングが付された領域は、本発明で言う接合領域であり、白色の領域は、本発明で言う接合不適領域である。同図（ａ），（ｃ）に示すように、表面１１ａおよび表面１２ａは、その全体が接合領域とされている。また、同図（ｂ），（ｄ）に示すように、裏面１１ｂおよび裏面１２ｂは、その全体が接合不適領域とされている。なお、最上位片１１および最下位片１２は、１つの大型の材料に打ち抜き加工などを施すことによって一括して形成してもよい。この場合、最上位片１１と最下位片１２とは、互いの材質などが同一となる。または、最上位片１１および最下位片１２は、互いに異なる材料から別々に形成されてもよい。この場合、最上位片１１および最下位片１２は、互いの材質などが異なり得る関係となり、たとえば一方が厚紙からなり、他方が合成樹脂シートからなるなどの構成としてもよい。
【００２２】
接合領域は、台材１とフィルム２とを接合するために設けられた領域であり、たとえば接着剤層が設けられている。この接着剤層は、ベタ状に設けられていてもよいし、断続的に設けられていてもよい。接着剤層の厚みは、特に限定されないが、たとえば、１０μｍ〜３０μｍである。
【００２３】
接着剤層を形成する接着剤としては、特に限定されず、通常公知の感熱性の接着剤や粘着剤、あるいは感圧性の接着剤や粘着剤が挙げられるが、不必要時に接着性を示さず且つ必要時に接着性を発現させることができることから、感熱性の接着剤や粘着剤（以下、これらを総称して「感熱性接着剤等」という）を用いることが好ましい。
【００２４】
感熱性接着剤は、室温では固化しており且つ加熱されることによって活性化して接着性を発現し、冷却によって固化して部材間を接着する接着剤である。感熱性粘着剤は、室温では固化しており且つ加熱されることによって活性化して接着性を発現して部材間を接着し、冷却後も粘着性が持続する接着剤である。
【００２５】
感熱性接着剤等の種類としては、たとえば、ディレードタック型、エマルジョン型、溶剤型、ホットメルト型などが挙げられる。
【００２６】
ディレードタック型は、室温で接着性を示さず、加熱することによって接着性を示し且つ冷却後長時間に亘ってその接着性が持続するものであり、グラビアコーティングなどの印刷によって塗工可能なものである。ディレードタック型としては、たとえば、エチレン−酢酸ビニル共重合体、酢酸ビニル−アクリル酸エステル共重合体、合成ゴムなどのベース樹脂に粘着付与剤及び固体可塑剤が配合されたものなどが例示される。
【００２７】
エマルジョン型または溶剤型は、たとえば、エチレン−酢酸ビニル共重合体などの熱接着性樹脂と粘着付与剤などを、水または有機溶剤などに溶解または分散させた溶液を、グラビアコーティングなどの印刷によって塗工可能であり、塗工後乾燥して使用するものである。これらも、乾燥後は接着性を示さず、加熱することによって接着性を示すものである。
【００２８】
ホットメルト型は、ホットメルトコーター、エクストルージョンラミネーターなどによって加熱溶融して塗工するものである。この例としては、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが挙げられる。
【００２９】
使用される感熱性接着剤等は、通常、軟化点６０℃〜１８０℃のものが用いられ、好ましくは、軟化点７０℃〜１４０℃である。このような軟化点の接着剤を用いることにより、フィルム２を軟化させるために加熱した際に、その熱で接着剤層の接着剤を活性化させることができる。なお、前記軟化点は、ＪＩＳ  Ｋ  ６８６３に準じて測定できる。
【００３０】
一方、接合不適領域は、接合領域よりも発揮しうる接合力が弱い領域として構成されている。すなわち、接合不適領域は、たとえばフィルム２との接合を直ちに実現することが不適である領域であることが意図されている。また、接合不適領域は、接合領域と対面した状態で重ね合わされた場合に、接合領域が接合力を発揮することを抑制あるいは阻止しうる領域であることが意図されている。
【００３１】
接合不適領域の具体的な構成としては、前記接着剤層を部分的に設けない構成が挙げられる。また、接合不適領域とすべき領域の前記接着剤の塗布量を、接合領域の塗布量よりも少なくする構成が挙げられる。前記接着剤の塗布量を相対的に少なくする手法としては、たとえば前記接着剤を網目状、縞状または無数のドット状に塗布する手法が挙げられる。さらに、接合不適領域の他の例として、前記接着剤層上に接着力を隠匿するか、あるいは低下させる接合阻止層を設ける構成が挙げられる。このような接合阻止層の材質としては、たとえばＵＶ硬化型インキ、またはシリコーンを含むコート剤が挙げられる。前記接合阻止層の厚さは、たとえば３μｍ〜２０μｍである。また、前記接合阻止層として、紙などの別部材を前記接着剤層の一部を覆うように設ける手法を採用してもよい。
【００３２】
図１および図４に示すように、最上位片１１は、全体が略矩形状であり、２つの切り欠き部１１ｃおよび２つの保持片１１ｇを有している。２つの切り欠き部１１ｃは、最上位片１１の一方の短辺の両端寄りに設けられている。各切り欠き部１１ｃは、最上位片１１の隅部が部分的に切り欠かれたことによって形成されている。本実施形態においては、切り欠き部１１ｃは１つの隅部が円弧状に面取りされた略矩形状とされているが、これは一例であり、切り欠き部１１ｃの形状は様々な形状に設定すればよい。図１および図３に示すように２つの切り欠き部１１ｃは、最下位片１２の表面１２ａの一部ずつを露出させている。
【００３３】
２つの保持片１１ｇは、最上位片１１の中央付近に配置されており、最上位片１１にたとえばコの字状の切り込みが設けられることによって形成されている。２つの保持片１１ｇは、各々が斜め上方に起立させられることにより、フィルム２によって覆われる前の段階において被包装物３の台材１に対する位置決めを行うためのものである。
【００３４】
最下位片１２は、全体が略矩形状であり、本実施形態においては、幅方向寸法が最上位片１１と一致している。最下位片１２は、切り欠き部１２ｃを有している。図１および図３に示すように、切り欠き部１２ｃは、最下位片１２の一方の短辺の中央付近に配置されており、最上位片１１に２つの切り欠き部１１ｃの間に位置している。切り欠き部１２ｃは、最下位片１２の短辺中央付近が部分的に切り欠かれたことによって形成されている。本実施形態においては、切り欠き部１２ｃは、半円形状とされているが、これは一例であり、切り欠き部１２ｃの形状は様々な形状に設定すればよい。切り欠き部１２ｃは、最上位片１１によってすべてが覆われた格好となっている。最上位片１１のうち厚さ方向視において切り欠き部１２ｃと重なる部分は、つまみ部１１ｆとされている。つまみ部１１ｆは、フィルム２のみと重ね合わされており、最下位片１２とは重なっていない。つまみ部１１ｆは、切り欠き部１２ｃと同形状の半円形状であるが、これに限定されず、つまみ部１１ｆの形状はあらゆる形状とされる。
【００３５】
また、本実施形態においては、最下位片１２の長手方向寸法が最上位片１１よりも若干大とされている。このため、図１に示すように、最下位片１２のうち切り欠き部１２ｃとは反対側の長手方向端部付近が最上位片１１から延出している。この部分は、延出部１２ｄとなっている。すなわち、本実施形態において、最下位片１２の表面１２ａは、最上位片１１の２つの切り欠き部１１ｃから露出する部分と、延出部１２ｄとして露出する部分とを有している。
【００３６】
フィルム２は、台材１および被包装物３を覆っている。フィルム２と台材１との間が脱気されていることにより、フィルム２は、台材１および被包装物３と、略密着している。
【００３７】
フィルム２としては、単層構成または一種あるいは二種以上の複層構成の合成樹脂製フィルムが用いられる。また、適宜必要に応じて、ガスバリアー性や遮光性等の各種機能を有する周知のフィルムを用いることもできる。フィルム２の厚みは、通常３０μｍ〜３００μｍ、好ましくは６０μｍ〜２００μｍである。なお、図１においては、透明なフィルム２が台材１および被包装物３を覆っている状態を示しており、台材１および被包装物３がフィルム２を透して視認可能となっている。
【００３８】
フィルム２の材質としては、特に限定されないが、たとえば、ポリオレフィン系樹脂、ポリアミド系樹脂、ポリエステル系樹脂、エチレン−酢酸ビニル共重合体、軟質塩化ビニルなどの熱可塑性樹脂が挙げられる。
【００３９】
ポリオレフィン系樹脂としては、たとえば、直鎖状低密度ポリエチレン、低密度ポリエチレン、中密度ポリエチレン、高密度ポリエチレンなどのポリエチレン系樹脂、ポリプロピレンなどのポリプロピレン系樹脂、プロピレン−エチレン共重合体、エチレン−酢酸ビニル共重合体、アイオノマー樹脂、エチレン−（メタ）アクリル酸共重合体、エチレン−（メタ）アクリル酸−不飽和カルボン酸エステル共重合体などの各種共重合体が挙げられ、好ましくは、ポリエチレン系樹脂であり、特に好ましくは、直鎖状低密度ポリエチレンである。これらは単独で用いてもよいし、二種以上混合して用いてもよい。
【００４０】
ポリアミド系樹脂としては、ナイロン６、ナイロン６６、ナイロン６９、ナイロン６１０、ナイロン６１２、ナイロン１１、ナイロン１２などの脂肪族ポリアミド重合体、ナイロン６−６６（ナイロン６とナイロン６６の共重合体を表す。以下同様に表記する）、ナイロン６−１０、ナイロン６−１２、ナイロン６−６９、ナイロン６−６１０、ナイロン６６−６９などの脂肪族ポリアミド共重合体を例示することができる。なかでも、脂肪族ポリアミド共重合体が好ましく、特にナイロン６−６６、ナイロン６−１０またはナイロン６−１２が好ましい。これらは単独で用いてもよいし、二種以上混合して用いてもよい。
【００４１】
ポリエステル系樹脂としては、ポリ（エチレンテレフタレート）、ポリ（ブチレンテレフタレート）、ポリ（エチレンテレフタレート／イソフタレート）、ポリ（エチレングリコール／シクロへキサンジメタノール／テレフタレート）などが代表格としてあげられ、更にこれらの重合体に共重合成分としてエチレングリコール、ブチレングリコール、シクロヘキサンジメタノール、ネオペンチルグリコール、ペンタンジオールなどのジオール類、あるいはイソフタール類、ベンゾフェノンジカルボン酸、ジフェニルスルホンジカルボン酸、ジフェニルメタンジカルボン酸、プロピレンビス（フェニルカルボン酸）、ジフェニルオキサイドジカルボン酸、シュウ酸、マロン酸、コハク酸、グルタル酸、アジピン酸、ピメリン酸、スベリン酸、アゼライン酸、サバチン酸、ジエチルコハク酸などのジカルボン酸を含有せしめたものが使用できる。
【００４２】
本発明においては、フィルム２として、融点の異なる樹脂を少なくとも二層以上有する複層構成のフィルムが好ましい。具体的には、たとえば、高融点の樹脂（即ち耐熱性を有し、低融点の樹脂よりも強度のある樹脂）を中間層とし、該中間層の樹脂よりも低融点の樹脂を表裏層とする二種三層で構成されたフィルムや、高融点の樹脂と低融点の樹脂とが交互に複数積層された積層部（通常、高融点の樹脂と低融点の樹脂が一層ずつ積層された複層部を３以上含む）を有するフィルム等が挙げられる。台材１への接着に寄与する低融点の樹脂よりも耐熱性を有する樹脂を積層することにより、スキンパックフィルムの特性として必要な延伸性を低融点の樹脂である程度担保しつつ、高融点の樹脂でフィルム２の強度を向上することができる。また、低融点の樹脂を供えることで台材１とフィルム２の接着性を強固にしつつ、高融点の樹脂によりフィルムの強度を向上できる。
【００４３】
二種三層で構成されたフィルムとしては、たとえば、ポリオレフィン系樹脂（低融点）／ポリオレフィン系樹脂（高融点）／ポリオレフィン系樹脂（低融点）、ポリオレフィン系樹脂／ポリアミド系樹脂／ポリオレフィン系樹脂、ポリオレフィン系樹脂／ポリエステル系樹脂／ポリオレフィン系樹脂、等が挙げられ、好ましくは、ポリオレフィン系樹脂／ポリアミド系樹脂／ポリオレフィン系樹脂である。なかでも、ポリオレフィン系樹脂が直鎖状低密度ポリエチレンまたは低密度ポリエチレンのいずれかであり、ポリアミド系樹脂が脂肪族ポリアミド共重合体であることが特に好ましい。また、積層部を有するフィルムとしては、上記二種三層で構成されたフィルムと同様の高融点の樹脂および低融点の樹脂が用いられるが、たとえば、ポリアミド系樹脂（高融点）／ポリオレフィン系樹脂（低融点）からなる複層部を４〜８含む積層部を中間層とし、表層にポリアミド系樹脂を、裏層に直鎖状低密度ポリエチレンを積層したフィルムが好適に用いられる。本実施形態においては、直鎖状低密度ポリエチレン／脂肪族ポリアミド共重合体／直鎖状低密度ポリエチレンから構成される二種三層のフィルムを使用した。
【００４４】
本実施形態においては、フィルム２は、最上位片１１の表面１１ａのうち被包装物３から露出した部分と、最下位片１２の表面１２ａのうち最上位片１１の２つの切り欠き部１１ｃから露出した部分および延出部１２ｄとして最上位片１１から延出した部分とに接合されている。
【００４５】
被包装物３は、台材１およびフィルム２の間に介在しており、台材１の最上位片１１の表面１１ａによって支持されるとともに、フィルム２によって台材１への固定および保護がなされている。本実施形態においては、細長い円柱状の被包装物３が、台材１に支持されている。このような被包装物３の一例としては、たとえば化粧品、医薬品あるいは文房具などが挙げられる。なお、スキンパック包装体Ａ１に含まれる被包装物３の個数は、２つ以上であってもよい。
【００４６】
スキンパック包装体Ａ１の製造方法を例示すると、図４に示した最上位片１１および最下位片１２を用意し、図５に示すように上下に重ね合わせる。また、最上位片１１の２つの保持片１１ｇを斜めに起立させておく。次いで、最上位片１１の表面１１ａに、被包装物３を載置する。そして、フィルム２となるフィルム材料を最上位片１１および最下位片１２と被包装物３とに被せる。この際、フィルム材料は、適度な変形を促進するとともに、前記厚紙材料との接着力を発揮させるべく、適切な温度に加熱しておく。
【００４７】
次いで、最上位片１１および最下位片１２の下面からの吸引、すなわち脱気工程を行う。これにより、最上位片１１および最下位片１２を通して、最上位片１１および最下位片１２と前記フィルム材料との間の空気が脱気される。そして、前記フィルム材料が伸展しながら最上位片１１および最下位片１２と被包装物３とに密着する。この後は、前記フィルム材料を適宜切断することによりスキンパック包装体Ａ１が得られる。
【００４８】
なお、以上の説明においては、便宜上、予め整形された最上位片１１および最下位片１２を用いて、１つのスキンパック包装体Ａ１を製造する例を説明したが、スキンパック包装体Ａ１の製造方法や手順は適宜変更可能である。たとえば、複数の最上位片１１を形成しうる大きなサイズの厚紙材料と、複数の最下位片１２を形成しうる大きなサイズの別の厚紙材料とを用いてもよい。この場合、複数の最上位片１１となる前記厚紙材料には、切り欠き部１１ｃとなるべき切り欠きを設けておくことが好ましい。また、複数の最下位片１２となる前記厚紙材料には、切り欠き部１２ｃとなるべき切り欠きを設けておくことが好ましい。これらの厚紙材料を位置合わせしながら重ねあわせ、複数の被包装物３を載置する。そして、上述した手法によって前記フィルム材料を用いた脱気工程を行った後に、重ね合わされた２つの前記厚紙材料と前記フィルム材料とを一括して切断することにより、複数のスキンパック包装体Ａ１が得られる。
【００４９】
図６は、スキンパック包装体Ａ１から被包装物３を取り出す手順の一例を示している。まず、最上位片１１のつまみ部１１ｆをフィルム２とともにつまみ、図中上方に持ち上げる。これにより、最上位片１１とフィルム２との一部ずつがめくり上げられ、最下位片１２の表面１２ａのうち最上位片１１の２つの切り欠き部１１ｃから露出した部分と接合されていたフィルム２の部分が剥離され、２つの剥離部２１となる。この剥離が完了すると、最下位片１２は、延出部１２ｄにおいてフィルム２と接合されたのみとなる。そして、最下位片１２を最上位片１１およびフィルム２に対して図中下方に引き離すと、最上位片１１およびフィルム２から最下位片１２のみを単独で分離することができる。
【００５０】
この際、被包装物３は、最上位片１１の表面１１ａ上においてフィルム２によっていまだ全体が覆われた状態をとりうる。一方、最上位片１１の裏面１１ｂおよび最下位片１２の表面１２ａおよび裏面１２ｂに印刷された被包装物３の説明文などは、視認可能な状態となる。そして、購入者に被包装物３を取り出す意図が生じた段階で、たとえば一方の剥離部２１をつまみ、これを最上位片１１から引き離すことにより、最上位片１１および被包装物３からフィルム２を完全に剥離することができる。以上の手順により、被包装物３を取り出すことができる。
【００５１】
次に、スキンパック包装体Ａ１の作用について説明する。
【００５２】
本実施形態によれば、つまみ部１１ｆを設けることにより、台材１の一部とフィルム２の一部とを一括して容易に持ち上げることができる。これにより、最上位片１１および最下位片１２が積層された構成の台材１とフィルム２との複合体であるスキンパック包装体Ａ１を適切に開封することができる。また、スキンパック包装体Ａ１の開封により、最上位片１１の裏面１１ｂ全体および最下位片１２の表面１２ａ全体が視認可能な状態となる。これにより、裏面１１ｂや表面１２ａに記載された説明文を購入者に示すことが可能である。したがって、説明文などの表記スペースを拡大しつつ、全体の大型化を抑制するとともに、良好な開封性を維持することができる。
【００５３】
また、最下位片１２に切り欠き部１２ｃを設けることによってつまみ部１１ｆを形成する構成であることにより、図６に示すように、最上位片１１とフィルム２のみをつまんでスキンパック包装体Ａ１の開封を開始することができる。この開封によれば、フィルム２が最下位片１２から剥離されるものの、フィルム２と最上位片１１とは即座には剥離されない。これにより、スキンパック包装体Ａ１の購入者は、まず、最下位片１２のみを離脱させることによって、上述した説明文を読む一方、被包装物３を２によっていまだ覆われた状態に保つことができる。そして、たとえば説明文を熟読した後に、被包装物３を実際に使用することを意図した任意のタイミングで、フィルム２を最上位片１１から剥離することができる。
【００５４】
最上位片１１に２つの切り欠き部１１ｃを設けることにより、最上位片１１から最下位片１２の表面１２ａの一部を露出させることができる。これにより、被包装物３に対して最上位片１１の後方に位置する最下位片１２にフィルム２を接合させることができる。２つの切り欠き部１１ｃを最上位片１１の短辺両端に設けることにより、フィルム２の２つの隅部を表面１２ａに確実に接合することができる。また、このフィルム２と表面１２ａとが接合された箇所により、厚さ方向において間に位置する最上位片１１を固定する事ができる。さらに、最上位片１１から延出する延出部１２ｄを設けることにより、２つの切り欠き部１１ｃとは長手方向において反対側においても、フィルム２と表面１２ａとを接合することが可能である。これらにより、フィルム２のいずれかの隅部が適切に接合されず不安定になることや、最上位片１１もしくは最下位片１２のいずれかの隅部が接合不足により不安定となってしまうことを防止することができる。
【００５５】
また、スキンパック包装体Ａ１の裏面側に表れる最下位片１２の裏面１２ｂは、そのすべてが接合不適領域とされている。これにより、スキンパック包装体Ａ１の製造工程や搬送中あるいは陳列中などに裏面１２ｂが意図せず外部の物体にくっついたりひっかかったりすることを抑制することができる。特に、スキンパック包装体Ａ１の製造工程においては、裏面１２ｂを下方に向けた姿勢でコンベア等によって搬送されることが一般的である。裏面１２ｂのすべてが接合不適領域であることにより、裏面１２ｂがコンベアに不当に貼り付いてしまうなどの不具合を防止することができる。
【００５６】
裏面１１ｂのすべてが接合不適領域とされていることにより、上述した脱気工程において、裏面１１ｂと表面１２ａとが接合されることを回避することができる。なお、前記脱気工程においては、フィルム２の側から熱が与えられる。このため、裏面１１ｂおよび表面１２ａは、最上位片１１を通過した熱を受ける格好となる。最上位片１１の材質および厚さなどによっては、最上位片１１によってある程度の遮熱が果たされ、表面１２ａの接着剤層を活性させないという効果が期待できる。
【００５７】
図７〜図１７は、本発明の変形例または他の実施形態を示している。なお、これらの図において、上記実施形態と同一または類似の要素には、上記実施形態と同一の符号を付している。
【００５８】
図７は、スキンパック包装体Ａ１の変形例を示している。なお、本図においては、理解の便宜上、最上位片１１および最下位片１２が重ね合わされた状態を示している。本変形例においては、最下位片１２の幅方向寸法が最上位片１１の幅方向寸法よりも大とされている。そして、最下位片１２のうち最上位片１１から幅方向両側に延出した部分が、２つの延出部１２ｅとされている。このため、本変形例においては、最下位片１２の表面１２ａは、２つの切り欠き部１１ｃから露出する部分と、延出部１２ｄおよび２つの延出部１２ｅとして延出する部分とが、最上位片１１から露出しており、これらの部分がフィルム２と接合されている。このような構成により、最上位片１１は、その略全周がフィルム２と表面１２ａとの接合部分によって囲まれている。
【００５９】
このような変形例によれば、最上位片１１と最下位片１２との隙間が、外部からほとんど隔絶された状態となる。このため、たとえばスキンパック包装体Ａ１の搬送中や店頭での陳列中に、最上位片１１と最下位片１２とが意図せず引き離されてしまうことを防止することができる。
【００６０】
図８は、スキンパック包装体Ａ１の他の変形例を示している。なお、本図においては、理解の便宜上、最上位片１１の表面１１ａおよび最下位片１２の表面１２ａ側からみた厚さ方向視を示している。本変形例においては、最上位片１１の表面１１ａが上述した接合領域のみを有している一方、最下位片１２の表面１２ａは、接合領域１２ｘと接合不適領域１２ｙとを有している。接合領域１２ｘは、上述した接合領域と同様の構成であり、たとえば接着剤層が設けられた領域である。接合不適領域１２ｙは、接合領域１２ｘよりも発揮しうる接合力が弱い領域である。接合不適領域１２ｙは、たとえば表面１２ａの全面に設けられた接着剤層を上述した接合阻止層によって部分的に覆うことによって形成される。あるいは、表面１２ａに対する接着剤層の形成において、接合不適領域１２ｙとすべき領域をマスキングするなどの手法により、接着剤層を部分的に設けないことによって接合不適領域１２ｙを形成してもよい。本変形例においては、接合不適領域１２ｙは、最上位片１１の裏面１１ｂと対面する領域に設けられている。
【００６１】
このような変形例によれば、スキンパック包装体Ａ１の製造方法における脱気工程において、裏面１１ｂと表面１２ａとが接合されてしまうことを確実に防止することができる。
【００６２】
図９は、スキンパック包装体Ａ１の他の変形例を示している。本変形例においては、台材１に付属物３１が内封されている。付属物３１は、被包装物３に付随して購入者などに提供されるべきものであれば特に限定されないが、たとえば被包装物３の使用方法や注意書きなどを記載した説明書などが挙げられる。該説明書（付属物３１）は、説明文が印刷された比較的薄い紙材料が、適宜折り畳まれた構成とされており、最上位片１１と最下位片１２との間に挟まされている。このような変形例の場合、図７に示した変形例と組み合わせると、搬送時や店頭での陳列時に付属物３１が意図せず脱落してしまうことを防止可能である。
【００６３】
このような変形例によれば、スキンパック包装体Ａ１の大型化を回避しつつ、より多量の説明文など、スキンパック包装体Ａ１の購入者に必要かつ多様な情報や物品を被包装物３とともに提供することができる。
【００６４】
図１０は、スキンパック包装体Ａ１の他の変形例を示している。同図（ａ）に示す変形例においては、最下位片１２が最上位片１１よりも若干大きいサイズとされている。最下位片１２は、延出部１２ｄおよび延出部１２ｅを有しており、これらの部位においてフィルム２が接合されている。最上位片１１は、切り欠き部１１ｃを有している。この切り欠き部１１ｃは、最上位片１１の四隅の角部の１つに設けられている。最下位片１２のうち切り欠き部１１ｃと重なる部位は、つまみ部１２ｆとされている。また、最下位片１２は、分断予定線１２ｈを有している。分断予定線１２ｈは、たとえばミシン目などの分断を可能とする線であり、つまみ部１１ｆを規定している。本変形例においては、つまみ部１２ｆをフィルム２とともにつまみ、これをめくり上げることにより、フィルム２を台材１から剥離させ、スキンパック包装体Ａ１を開封することができる。
【００６５】
同図（ｂ）に示す変形例においては、最下位片１２の長手方向寸法が最上位片１１よりも小とされており、最下位片１２には比較的大面積の延出部１２ｄが設けられている。この延出部１２ｄに分断予定線１２ｈが形成されることにより、つまみ部１２ｆが設けられている。
【００６６】
同図（ｃ）に示す変形例においては、最上位片１１および最下位片１２の概略寸法は、同図（ａ）に示す変形例と同様である。そして、最上位片１１に分断予定線１１ｈおよびつまみ部１１ｆが設けられており、最下位片１２に分断予定線１２ｈおよびつまみ部１２ｆが設けられている。分断予定線１１ｈと分断予定線１２ｈの一部とは、厚さ方向視において一致しており、たとえばスキンパック包装体Ａ１の製造工程において一括して形成される。つまみ部１１ｆは分断予定線１１ｈによって規定されており、最下位片１２ｆは、分断予定線１２ｈによって規定されている。このため、つまみ部１１ｆとつまみ部１２ｆの一部とが、厚さ方向視において重なり合っている。本変形例を開封する際には、つまみ部１１ｆおよびつまみ部１２ｆとフィルム２とを一括してつまみ、これらをめくり上げることによりフィルム２を台材１から剥離させる。このように本変形例においては、つまみ部１１ｆおよびつまみ部１２ｆによって１つのつまみ部が形成された構成となっている。
【００６７】
同図（ｄ）に示す変形例においては、最上位片１１の幅方向寸法が最下位片１２の幅方向寸法よりも小であることにより、延出部１２ｅが設けられているものの、最上位片１１の図中下端と最下位片１２の図中下端とが一致している。最下位片１２の図中下端中央には、半円形状の切り欠き部１２ｃが設けられている。最上位片１１は、厚さ方向視において最下位片１２の切り欠き部１２ｃよりも若干内方に位置する半円形状の分断予定線１１ｈが形成されており、これにより半円形状のつまみ部１１ｆが設けられている。つまみ部１１ｆは、フィルム２と重なり合うものの、最下位片１２とは重なっていない。このような変形例によってもつまみ部１１ｆとフィルム２とを一括して持ち上げることにより、スキンパック包装体Ａ１を開封することができる。
【００６８】
図１１および図１２は、本発明の第二実施形態に基づくスキンパック包装体を示している。本実施形態のスキンパック包装体Ａ２においては、主に台材１の構成が、上述したスキンパック包装体Ａ１と異なっている。本実施形態においては、台材１は、互いに繋がった最上位片１１、最下位片１２および中間片１３を有しており、後述するシート材料１０が折り畳まれることによって形成されている。
【００６９】
中間片１３は、厚さ方向において最上位片１１と最下位片１２との間に位置しており、最上位片１１および最下位片１２とともに重ね合わされている。図１１に示すように、中間片１３は、山折り部１８ａを介して最上位片１１の一端（図中左端）と繋がっており、谷折り部１８ｂを介して最下位片１２の図中右端と繋がっている。山折り部１８ａと谷折り部１８ｂとは、折り部の組１８を構成している。最上位片１１、最下位片１２および中間片１３は、略矩形状とされており、本実施形態においては、互いの幅方向寸法が一致した構成とされている。中間片１３は、表面１３ａおよび裏面１３ｂを有している。表面１３ａは、被包装物３側を向く面であり、本実施形態においてはその全面が接合不適領域とされている。裏面１３ｂは、被包装物３とは反対側を向く面であり、本実施形態においてはその全面が接合領域とされている。
【００７０】
中間片１３は、最上位片１１から図中左方に延出した部分を有しており、この部分に２つの切り欠き部１３ｃが形成されている。２つの切り欠き部１３ｃは、中間片１３の一方の短辺の両端寄りに設けられている。各切り欠き部１３ｃは、中間片１３が部分的に切り欠かれたことによって形成されている。本実施形態においては、切り欠き部１３ｃは１つの隅部が円弧状に面取りされた略矩形状とされているが、これは一例であり、切り欠き部１３ｃの形状は様々な形状に設定すればよい。２つの切り欠き部１３ｃは、最下位片１２の表面１２ａの一部ずつを露出させている。
【００７１】
最下位片１２の長手方向における図中右方端部付近が最上位片１１から延出しており、この部分が、延出部１２ｄとなっている。これにより、本実施形態においては、最下位片１２の表面１２ａは、２つの切り欠き部１３ｃから露出する部分と、延出部１２ｄとして延出する部分と、を有しており、これらの部分がフィルム２に接合されている。また、本実施形態においては、延出部１２ｄには、つまみ部１２ｆが形成されている。つまみ部１２ｆは、たとえばミシン目などの分断を可能とする分断予定線１２ｈによって規定された部位である。つまみ部１２ｆの形状は特に限定されず、本実施形態においては、たとえば半円形状とされている。
【００７２】
なお、最上位片１１の表面１１ａは、店頭での陳列時において被包装物３とともに前面に表れる部位である。このため、表面１１ａには、商品名や販売促進のためのＰＯＰ広告を印刷しておくことが好ましい。一方、最上位片１１の裏面１１ｂと中間片１３の表面１３ａおよび裏面１３ｂと最下位片１２の表面１２ａおよび裏面１２ｂは、店頭での陳列時において前面には表れない部位である。これらの部位には、たとえば被包装物３の使用方法や注意書きなどの説明文を印刷しておくことが好ましい。
【００７３】
図１３は、台材１を形成するためのシート材料１０を示している。シート材料１０は、第一面１０ａおよび第二面１０ｂを有しており、同図（ａ）は、シート材料１０を第一面１０ａ側から見た平面図であり、同図（ｂ）は、シート材料１０を第二面１０ｂ側から見た底面図である。なお、同図においては、接合領域にハッチングを施しており、接合不適領域を白色で示している。本実施形態においては、第一面１０ａは、その全面が接合領域とされており、第二面１０ｂは、その全面が接合不適領域とされている。シート材料１０は、最上位片１１、最下位片１２および中間片１３となるべき領域を有しており、２つの切り欠き部１３ｃに相当する切り欠きや２つの保持片１１ｇを形成するための切れ目および分断予定線１２ｈが設けられている。なお、最上位片１１、最下位片１２および中間片１３となるべき領域同士の境界は、折り畳みやすくするためのたとえばミシン目や罫線が設けられていてもよい。
【００７４】
スキンパック包装体Ａ２の製造方法を例示すると、図１３に示したシート材料１０を用意し、図１４に示すようにシート材料１０を折り畳む。なお、図１４においては、接合領域にハッチングを施しており、接合不適領域を白色で示している。この際、最上位片１１と中間片１３との境界を、第一面１０ａが外側となるように折る。この第一面１０ａが外側に折られた部分を、山折り部１８ａと定義する。また、中間片１３と最下位片１２との境界を、第一面１０ａが内側になるように折る。この第一面１０ａが内側に折られた部分を、谷折り部１８ｂと定義する。この折り畳みにより、最上位片１１、最下位片１２および中間片１３が互いに重ね合わされる。同図から理解される通り、全面が接合領域とされた第一面１０ａと全面が接合不適領域とされた第二面１０ｂを有するシート材料１０が折り畳まれると、表面１１ａおよび表面１２ａと裏面１３ｂとが接合領域とされ、裏面１１ｂおよび裏面１２ｂと表面１３ａとが接合不適領域とされる。すなわち、互いに対面する関係となる裏面１１ｂおよび表面１３ａはともに接合不適領域であり、裏面１３ｂおよび表面１２ａはともに接合領域である。
【００７５】
この後は、被包装物３の載置や脱気工程によるフィルム２の密着接合など、スキンパック包装体Ａ１の製造方法において述べた工程と同様の工程を経ることにより、スキンパック包装体Ａ２が得られる。
【００７６】
なお、以上の説明においては、便宜上、予め整形されたシート材料１０を用いて、１つのスキンパック包装体Ａ２を製造する例を説明したが、スキンパック包装体Ａ２の製造方法や手順は適宜変更可能である。たとえば、複数のシート材料１０を形成しうる大きなサイズの厚紙材料を用いてもよい。この厚紙材料を折り畳み、複数の被包装物３を載置する。そして、上述した手法によって前記フィルム材料を用いた脱気工程を行った後に、前記厚紙材料と前記フィルム材料とを一括して切断することにより、複数のスキンパック包装体Ａ２が得られる。
【００７７】
図１５および図１６は、スキンパック包装体Ａ２から被包装物３を取り出す手順の一例を示している。まず、図１５に示すように、最下位片１２の延出部１２ｄに設けられたつまみ部１２ｆをフィルム２とともにつまみ、図中上方に持ち上げる。これにより、最下位片１２の延出部１２ｄの表面１２ａと接合されていたフィルム２の部分が剥離され、剥離部２１となる。この剥離により、最下位片１２の延出部１２ｄがフィルム２から離脱する。延出部１２ｄを下方に押し下げると、表面１２ａのうち中間片１３の２つの切り欠き部１３ｃから露出してフィルム２に接合されていた部分が、フィルム２から引き離される。これにより、フィルム２のうち２つの切り欠き部１３ｃを介して表面１２ａに接合されていた部分が、２つの剥離部２１となり、最下位片１２のすべてがフィルム２から離脱する。
【００７８】
また、中間片１３のうち、２つの切り欠き部１３ｃの間において図中上方を向く１３ａは、接合不適領域であり、フィルム２とは積極的に接合されていない。このため、表面１２ａのうち２つの切り欠き部１３ｃを介して接合されていた領域が剥離されると、中間片１３がフィルム２に対して固定されない状態となる。この結果、図１６に示すように、最上位片１１のみがフィルム２と接合され、最下位片１２および中間片１３が最上位片１１に繋がっているものの、フィルム２から離脱し、完全に展開された状態となる。この状態においては、被包装物３がいまだフィルム２によって覆われているものの、裏面１１ｂ、表面１３ａ、裏面１３ｂ、表面１２ａおよび裏面１２ｂに印刷された被包装物３の説明文などは視認可能な状態となる。この後は、たとえばフィルム２の剥離部２１をつまんで持ち上げるなどにより、フィルム２を完全に剥離し、被包装物３を取り出すことができる。
【００７９】
このような実施形態によっても、説明文などの表記スペースを拡大しつつ、スキンパック包装体Ａ２全体の大型化を抑制するとともに、良好な開封性を維持することができる。また、スキンパック包装体Ａ２がコンベアなどに不当に貼り付いてしまうことを防止することができる。特に、図１６に示すように、スキンパック包装体Ａ２によれば、裏面１１ｂ、表面１３ａ、裏面１３ｂ、表面１２ａおよび裏面１２ｂの５つの面を、説明文などの記載スペースに用いることが可能であり、より多量の説明文などを記載することができる。
【００８０】
図１６および図１７に示すように、最下位片１２につまみ部１２ｆを設けることにより、最下位片１２および中間片１３を完全に展開しつつ、被包装物３をフィルム２によっていまだ覆われた状態に保つことができる。これにより、スキンパック包装体Ａ２の購入者は、上述した多量の説明文を注意深く熟読した後に、被包装物３を開封するという手順を踏むことができる。分断予定線１２ｈによってつまみ部１２ｆを規定する構成によれば、最上位片１１に切り欠きなどを設けること無く、つまみ部１２ｆを所望の位置に所望の形状で設けることが可能であるという利点がある。
【００８１】
図１３および図１４から理解される通り、本実施形態においては、それぞれが接合領域とされた裏面１３ｂと表面１２ａとが対面する。しかし、フィルム２を密着接合するための脱気工程においては、裏面１３ｂおよび表面１２ａは、フィルム２側から最上位片１１および中間片１３を通過した熱を受ける格好となる。最上位片１１および中間片１３を構成するシート材料１０の材質や厚さによっては、最上位片１１および中間片１３がある程度の遮熱を果たし、裏面１３ｂおよび表面１２ａの接着剤層を活性化させない効果が期待できる。
【００８２】
図１７は、スキンパック包装体Ａ２の複数の変形例を示している。なお、本図においては、理解の便宜上、シート材料１０の第一面１０ａ側からみた厚さ方向視を示している。本変形例においては、第一面１０ａの一部に接合不適領域が設けられている。なお、第二面１０ｂは、そのすべてが接合不適領域とされている。
【００８３】
同図（ａ）に示す変形例においては、表面１１ａおよび表面１２ａのすべてが接合領域１１ｘおよび接合領域１２ｘとされており、裏面１３ｂのすべてが接合不適領域１３ｙとされている。同図（ｂ）に示す変形例においては、表面１１ａおよび裏面１３ｂのすべてが接合領域１１ｘおよび接合領域１３ｘとされており、表面１２ａが３つの接合領域１２ｘと接合不適領域１２ｙとを有している。接合不適領域１２ｙは、中間片１３と同様の形状とされている。同図（ｃ）は、表面１１ａのすべてが接合領域１１ｘとされている一方、表面１２ａが３つの接合領域１２ｘと接合不適領域１２ｙを有しており、裏面１３ｂのすべてが接合不適領域１３ｙとされている。
【００８４】
これらの接合不適領域１１ｙ、接合不適領域１２ｙおよび１３ｙは、上述したように接着剤層を部分的の覆う接合阻止層の形成や、接着剤層の部分的な塗布などによって形成することができる。このような変形例によれば、表面１２ａと裏面１３ｂとが不当に接合されてしまうことをより確実に防止することができる。
【００８５】
なお、スキンパック包装体Ａ２は、図９に示したスキンパック包装体Ａ１の変形例と同様に、付属物３１が内封された構成であってもよい。付属物３１の内封形態としては、たとえば最上位片１１と中間片１３との間に付属物３１を配置すればよい。また、これに代えて、付属物３１を中間片１３と最下位片１２との間に挟んでもよい。また、最上位片１１および中間片１３の間と中間片１３および１２の間とのそれぞれに、付属物３１を挟んでもよい。このような変形例の場合、図７に示したスキンパック包装体Ａ１の変形例と類似の構成、すなわち、最上位片１１の幅方向両側から表面１２ａが延出する構成と組み合わせると、搬送時や店頭での陳列時に付属物３１が意図せず脱落してしまうことを防止可能である。
【００８６】
また、スキンパック包装体Ａ２において、山折り部１８ａおよび谷折り部１８ｂの数を増加させることにより、最上位片１１と最下位片１２との間に位置する中間片１３と同様の中間片をさらに備える構成としてもよい。このような構成により、説明文などを記載するスペースを効果的に増大させることができる。
【００８７】
本発明に係るスキンパック包装体は、上述した実施形態に限定されるものではない。本発明に係るスキンパック包装体の各部の具体的な構成は、種々に設計変更自在である。
【符号の説明】
【００８８】
Ａ１〜Ａ３      スキンパック包装体
１      台材
１０      シート材料
１０ａ      第一面
１０ｂ      第二面
１１      最上位片
１２      最下位片
１３      中間片
１１ａ，１２ａ，１３ａ，１４ａ      表面
１１ｂ，１２ｂ，１３ｂ，１４ｂ      裏面
１１ｃ，１２ｃ，１３ｃ      切り欠き部
１２ｄ，１２ｅ      延出部
１１ｆ，１２ｆ      つまみ部
１１ｇ      保持片
１１ｈ，１２ｈ      分断予定線
１１ｘ，１２ｘ，１３ｘ      接合領域
１１ｙ，１２ｙ，１３ｙ      接合不適領域
１８      折り部の組
１８ａ      山折り部
１８ｂ      谷折り部
２      フィルム
２１      剥離部
３      被包装物
３１      付属物
【図１】
2015120536.tif 000003
【図２】
2015120536.tif 000004
【図３】
2015120536.tif 000005
【図４】
2015120536.tif 000006
【図５】
2015120536.tif 000007
【図６】
2015120536.tif 000008
【図７】
2015120536.tif 000009
【図８】
2015120536.tif 000010
【図９】
2015120536.tif 000011
【図１０】
2015120536.tif 000012
【図１１】
2015120536.tif 000013
【図１２】
2015120536.tif 000014
【図１３】
2015120536.tif 000015
【図１４】
2015120536.tif 000016
【図１５】
2015120536.tif 000017
【図１６】
2015120536.tif 000018
【図１７】
2015120536.tif 000019
【図１８】
2015120536.tif 000020